(57)【要約】  本発明は、流体流通弁の分野に関し、特にケーシング（２，２’）と、ケーシング（２，２’）内に収容された可動要素（８，８’）とを備える三方弁（１，１’）に関する。ケーシング（２，２’）が、流体入口（３，３’）と、第１および第２の流体出口（４，５；４’，５’）と、流体入口（３，３’）と第１の流体出口（４，４’）との間の第１の流体流路（６，６’）と、第１および第２の流体出口（４，５；４’，５’）の間の第２の流体流路（７，７’）とを有している。可動要素（８，８’）が、ロッド（９，９’）と、ロッド（９，９’）の第１の端部に取り付けられ、ロッド（９，９’）に向かって第１の弁座（１２，１２’）に受け止められて第１の流体流路（６，６’）を閉じるために適した第１の弁部材（１０，１０’）と、ロッド（９，９’）の第２の端部に取り付けられ、ロッド（９，９’）に向かってケーシングの第２の弁座に受け止められて第２の流体流路（７，７’）を閉じるために適した第２の弁部材（１１，１１’）とを備えている。このバルブ（１，１’）が、第１および第２の位置の間の移動の軸（Ｘ）に対してほぼ垂直な平面において可動要素（８，８’）を支持する少なくとも１つのダイアフラムスプリング（１６，１６’）をさらに備える。【選択図】図１Ａ
2014506663.tif 000002
【特許請求の範囲】
【請求項１】
流体入口（３，３’）と、第１および第２の流体出口（４，５；４’，５’）と、前記流体入口（３，３’）と前記第１の流体出口（４，４’）との間の第１の流体流路（６，６’）と、前記第１および第２の流体出口（４，５；４’，５’）の間の第２の流体流路（７，７’）とを有するケーシング（２，２’）と、
前記ケーシング（２，２’）内に収容された可動要素（８，８’）と、
を備えており、
前記可動要素（８，８’）は、
ロッド（９，９’）と、
前記ロッド（９，９’）の第１の端部に取り付けられ、前記ロッド（９，９’）に向かって第１の弁座（１２，１２’）に受け止められて前記第１の流体流路（６，６’）を閉じるために適した第１の弁部材（１０，１０’）と、
前記ロッド（９，９’）の第２の端部に取り付けられ、前記ロッド（９，９’）に向かって前記ケーシングの第２の弁座に受け止められて前記第２の流体流路（７，７’）を閉じるために適した第２の弁部材（１１，１１’）と、
を備えており、
前記ロッド（９，９’）の長さは、前記可動要素（８，８’）を、前記第１の流路（６，６’）が閉じられ且つ前記第２の流路（７，７’）が開かれる第１の位置と、前記第１の流路（６，６’）が開かれ且つ前記第２の流路（７，７’）が閉じられる第２の位置との間を移動させることができる、三方弁（１，１’）であって、
前記第１および第２の位置の間の移動の軸（Ｘ）に対してほぼ垂直な平面において前記可動要素（８，８’）を支持する少なくとも１つのダイアフラムスプリング（１６，１６’）をさらに備えることを特徴とする三方弁（１，１’）。
【請求項２】
前記可動要素（８，８’）の第１の端部を支持する第１のダイアフラムスプリング（１６，１６’）と、前記可動要素（８，８’）の第２の端部を支持する第２のダイアフラムスプリングとを備える請求項１に記載の三方弁（１，１’）。
【請求項３】
前記可動要素（８，８’）を移動させるためのアクチュエータ（１４，１４’）を備える請求項１または２に記載の三方弁（１，１’）。
【請求項４】
前記アクチュエータ（１４）は、電磁アクチュエータである請求項３に記載の三方弁（１）。
【請求項５】
前記アクチュエータ（１４’）は、流体によって駆動されるアクチュエータである請求項３に記載の三方弁（１’）。
【請求項６】
前記可動要素（８，８’）を前記第１の位置へと戻すための戻しばね（１５，１５’）をさらに備える請求項１〜５のいずれか一項に記載の三方弁（１，１’）。
【請求項７】
前記少なくとも１つのダイアフラムスプリング（１６，１６’）は、前記可動要素（８，８’）を前記第１の位置へと付勢するために、圧縮応力を与えられている請求項１〜５のいずれか一項に記載の三方弁（１，１’）。
【請求項８】
請求項４に記載の電磁制御される第１の三方弁（１）と、請求項５に記載の流体の流れによって制御される第２の三方弁（１’）と、を備え、
前記第２の三方弁（１’）の前記流体によって駆動されるアクチュエータ（１４’）は、前記第１の三方弁（１）の前記第１の流体出口（４）に接続されている流体流制御装置（２０）。
【請求項９】
請求項１〜７のいずれか一項に記載の三方弁（１，１’）を有する少なくとも１つの推進用流体の回路を備えている姿勢および／またはロール制御システム。
【請求項１０】
請求項１に記載の三方弁（１，１’）を組み立てる方法であって、
前記少なくとも１つのダイアフラムスプリング（１６，１６’）の取り付けが、前記可動要素を前記第１または第２の位置に位置させた状態で終えられる方法。
【請求項１１】
請求項２に記載の三方弁（１，１’）を組み立てる方法であって、
前記第１のダイアフラムスプリング（１６，１６’）の取り付けが、前記可動要素（８，８’）を前記第１の位置に位置させた状態で終えられ、前記第２のダイアフラムスプリング（１６，１６’）の取り付けが、前記可動要素（８，８’）を前記第２の位置に位置させた状態で終えられる方法。
【発明の詳細な説明】
【技術分野】
【０００１】
本発明は、三方弁に関し、特に、流体入口と第１および第２の流体出口とを有する三方弁に関する。
【背景技術】
【０００２】
三方弁は、流体（液体または気体であってよい）の流れの制御を可能にする装置であり、幅広くさまざまな流体流システムにおいて使用されている。三方弁を利用するシステムのなかでも、例えば、宇宙船、打ち上げロケット、またはロケットにおいて、三方弁を使用して推進ノズルまたはこのような輸送手段の推進スラスタへと推進剤を供給するためのシステムへの気体の流れを制御する姿勢およびロール制御システムを見つけることができる。
【０００３】
したがって、アリアン５型（Ａｒｉａｎｅ  ５）打ち上げロケットの各段の姿勢およびロール制御システムにおいて、流体入口ならびに第１および第２の流体出口を有するケーシングを、ケーシング内の可動要素とともに備えている三方弁が知られている。この三方弁においては、可動要素は、ロッドと、ロッドの第１の端部に取り付けられた第１の弁部材と、ロッドの第２の端部に取り付けられた第２の弁部材とを備えている。第１の弁部材は、流体入口と第１の流体出口との間の第１の流体流路を閉じるべく、ロッドに向かって第１の弁座に受け止められるために適しており、第２の弁部材は、第１および第２の流体出口との間の第２の流路を閉じるべく、ロッドに向かって第２の弁座に受け止められるために適している。ロッドの長さは、可動要素を、第１の流路が閉じられ且つ第２の流路も閉じられる第１の位置と、第１の流路が開かれ且つ第２の流路が閉じられる第２の位置との間を移動させることを可能にする。したがって、第１の位置においては、入口が遮断され、２つの出口の間の圧力が等しくなる一方で、第２の位置においては、弁が入口から第１の出口への流体の流れを可能にしつつ、第２の出口を切り離す。
【０００４】
そのような弁に、極度の応力（特に、振動応力）が加わる可能性がある。これにより、ロッドが径方向にずれ、あるいはケーシングに対して傾く結果として、弁部材が対応する弁座に対して中心からずれるという問題が生じうる。そのような中心のずれは、可動要素の動作の際に弁部材および／または弁座の損傷につながる可能性があるほか、弁の動作が遅くなり、あるいは詰まりにさえつながる可能性がある。残念ながら、振動環境に耐える能力ならびに弁の応答速度および信頼性は、そのような用途における基本的な要素である。
【０００５】
従来技術において、この問題を、ロッドをケーシング内の細い穴を通って案内することによって解決する試みが行われている。残念ながら、この解決策は、或る程度の摩擦につながり、したがって、やはり弁の動きが遅くなり、詰まりの恐れがある。
【発明の概要】
【発明が解決しようとする課題】
【０００６】
本発明の目的は、高度の信頼性ならびにゼロまたは無視できる摩擦にて２つの位置の間の切り換えが可能な新規な三方弁を提案することにある。
【課題を解決するための手段】
【０００７】
本発明の少なくとも１つの実施形態において、この目的は、弁が第１および第２の位置の間の移動の軸に対してほぼ垂直な平面において可動要素を支持する少なくとも１つのダイアフラムスプリングをさらに備えることによって達成される。そのようなダイアフラムスプリングは、自身の平面において、自身の平面に対して垂直な軸において有する剛性よりもはるかに高い剛性を有するがゆえ、可動要素の心出しをほぼゼロの摩擦にて維持することを可能にする。
【０００８】
好都合には、この三方弁は、可動要素の第１の端部を支持する第１のダイアフラムスプリングと、可動要素の第２の端部およびケーシングを支持する第２のダイアフラムスプリングとを備える。これにより、可動要素の全体としての心出しが保証されるだけでなく、２つの弁部材の各々も個別に心出しされ、したがって、可動要素が自身の移動の軸に整列した状態に保たれる。
【０００９】
好都合には、この弁は、例えば、電磁アクチュエータまたは流体によって駆動されるアクチュエータなど、前記可動要素を移動させるためのアクチュエータをさらに備える。これにより、弁をそのようなアクチュエータによって制御することが可能である。
【００１０】
好都合には、弁は、さらに、可動要素を前記第１の位置へと付勢するための戻しばねを備える。これにより、可動要素は、反対の駆動が存在しない場合に、第１の位置へと自動的に復帰して弁の入口を遮断する。あるいは、少なくとも１つのダイアフラムスプリングは、可動要素を第１の位置へと付勢するために圧縮応力を与えられることができる。これにより、ダイアフラムスプリングは、戻しばねの機能を果たすことができる。
【００１１】
さらに、本発明は、電磁制御される本発明の第１の三方弁と、流体の流れによって制御される本発明の第２の三方弁とを備え、第２の三方弁の流体によって駆動されるアクチュエータは、第１の三方弁の第１の流体出口に接続されている流体流制御装置を提供する。このようにして、第１の弁が第２の弁のパイロット弁として機能し、大きな流体の流れを小容量の電磁アクチュエータによって間接的に制御することを可能にする。
【００１２】
さらに、本発明は、特に、宇宙船またはロケット用の本発明の推進用流体の回路を備える姿勢および／またはロール制御装置を提供する。用語「推進用流体」は、弁の下流のノズルによって直接吐き出される推進用の気体、または少なくとも１つの推進剤を推進室へと供給するように設計された推進剤のいずれかを意味して使用される。
【００１３】
さらに、本発明は、本発明の三方弁を組み立てる方法であって、前記少なくとも１つのダイアフラムスプリングの取り付けが、前記可動要素を前記第１または第２の位置に位置させて実行される方法を提供する。このやり方で、取り付けが、一方の弁部材が対応する弁座に心出しされた状態で受け入れられているときに終了し、したがって、ダイアフラムスプリングを弁部材に心出しすることによって、ダイアフラムスプリングの心出しを保証することができる。特に、三方弁が、可動要素の第１の端部を支持する第１のダイアフラムスプリングと、可動要素の第２の端部を支持する第２のダイアフラムスプリングとを備える場合には、第１のダイアフラムスプリングの取り付けが、好都合には、前記可動要素を前記第１の位置に位置させた状態で実行され、第２のダイアフラムスプリングの取り付けが、好都合には、前記可動要素を前記第２の位置に位置させた状態で実行される。これにより、両方のダイアフラムスプリングの個別の心出しが保証される。
【００１４】
あくまでも本発明を限定するものではない例として提示される実施形態についての以下の詳細な説明を検討することにより、本発明を充分に理解することができ、本発明の利点がよりよく見えてくる。説明においては、添付の図面を参照する。
【図面の簡単な説明】
【００１５】
【図１Ａ】本発明の第１の実施形態における電磁制御される三方弁の縦断面であり、第１の位置にある三方弁を示している。
【図１Ｂ】第２の位置にある図１Ａの弁の縦断面である。
【図２】図１Ａおよび図１Ｂの弁のダイアフラムスプリングの正面図である。
【図３】電気的に制御される図１Ａおよび図１Ｂに示したような本発明の第１の実施形態による第１の三方弁を、流体の流れによって制御される本発明の第２の実施形態による第２の三方弁とともに備えている流体流制御装置の縦断面である。
【図４Ａ−４Ｃ】図１Ａおよび図１Ｂの弁の組み立ての方法を部分的に示している。
【発明を実施するための形態】
【００１６】
本発明の第１の実施形態における三方弁１が、図１Ａおよび図１Ｂに示されている。弁１は、流体入口３と、第１の流体出口４と、第２の流体出口５とを備えるケーシング２を有している。第１の流体流路６が、入口３を第１の出口４へと接続しており、第２の流体流路７が、第１の出口４を第２の出口５へと接続している。可動要素８が、ケーシング２に収容されている。この可動要素８は、ロッド９を備えており、ロッド９の各々の端部にそれぞれの弁部材１０および１１が位置している。
【００１７】
これら２つの弁部材１０および１１は、図示の実施形態においては球状であるが、当業者であれば、状況に応じて他の代案の形状を容易に考えることができる。さらに、ロッド９ならびに弁部材１０および１１が、図示の実施形態においては別個の部品によって構成されているが、代案として、ロッド９を、弁部材１０、１１の少なくとも一方と一体に形成することも、同様に可能である。
【００１８】
第１の弁部材１０が、流体入口３の傍らに位置する一方で、第２の弁部材１１は、第２の流体出口５の傍らに位置する。第１の流体出口４が、２つの弁部材１０および１１の間に位置している。ロッド９に向かって、第１の弁部材１０は、第１の流体流路６によって貫かれた第１の弁座１２に面しており、この流路をロッド９が通っている。ロッド９に向かって、第２の弁部材１１は、第２の流体流路７によって貫かれた第２の弁座１３に面しており、この流路をロッド９がやはり通っている。ロッド９の長さは、可動要素８を、図１Ａに示されているように第１の弁部材１０が弁座１２に受け止められることで第１の流路６が閉じられて流体入口３が切り離される第１の位置と、図１Ｂに示されているように第２の弁部材１１が第２の弁座１３に受け止められることで第２の流路７が閉じられて第２の流体出口５が切り離される第２の位置との間を、移動させることができるような長さである。第１の位置においては、第２の弁部材１１が弁座１３からずらされることで、第２の流路７が開かれ、第１の出口７から第２の出口５への排出が可能である一方で、第２の位置においては、第１の弁部材１０が弁座１２からずらされることで、第２の流路６が開かれ、入口３から第１の出口４への供給が可能である。
【００１９】
可動要素８を第１および第２の位置の間で移動させるために、弁１は、電磁アクチュエータ１４およびばね１５をさらに備えている。ばね１５が、可動要素８を第１の位置に向かって付勢する戻しばねである一方で、電磁アクチュエータ１４が、作動時に、可動要素８を第２の位置に向かってばね１５とは反対の方向に付勢する。したがって、第１の位置が、電磁アクチュエータ１４の故障の場合に流体入口３を自動的に切り離す可動要素８にとってのデフォルト位置である。
【００２０】
２つの弁部材１０および１１の中心を保つために、２つの部材１０および１１の各々は、平らなダイアフラムスプリング１６によってケーシング２内に支持されている。そのようなダイアフラムスプリング１６が、図２に示されている。ダイアフラムスプリング１６は、自身の平面に対して垂直な軸の方向と比べ、自身の平面の方向において大幅に剛性が高い。ダイアフラムスプリング１６を可動要素８の移動の軸Ｘに対して垂直に向けることにより、ダイアフラムスプリング１６は、該当の部材１０、１１を径方向について中心位置に保持するように機能する一方で、弁部材が軸Ｘに沿って最小限の抵抗で移動することを可能にする。ダイアフラムスプリング１６は、開口を有しており、したがって、流体がダイアフラムスプリング１６の平面を通過することが可能である。随意により、可動要素を第１の位置に向かって押すことによって戻しばね１５として機能するように、ダイアフラムスプリング１６のうちの少なくとも１つに、第２の位置に向かう応力をあらかじめ与えることができる。
【００２１】
図１Ａおよび図１Ｂに示した第１の実施形態においては、アクチュエータが電磁式であるが、例えば流体によって駆動されるアクチュエータなど、他の形式のアクチュエータも使用可能である。したがって、図３が、流体によって駆動されるアクチュエータ１４’を有している第２の実施形態の１つの三方弁１’を、制御の目的で電磁アクチュエータを有する本発明の第１の実施形態によるパイロット三方弁１へと接続して有している流体流制御装置３０を示している。したがって、流体の流れによって制御される三方弁１’が、電磁的に制御される三方弁１よりも大幅に大きい容量を有することができ、したがって、パイロット弁１からの流体信号の増幅器として機能することができる。
【００２２】
本発明の第１の実施形態の電磁制御される三方弁１と同様に、流体の流れによって制御される三方弁１’は、流体入口３’と、第１の流体出口４’と、第２の流体出口５’とを有するケーシング２’を備えている。第１の流体流路６’が、入口３’を第１の出口４’へと接続しており、第２の流体流路７’が、第１の出口４’を第２の出口５’へと接続している。可動要素８’が、ケーシング２’に収容されている。この可動要素８’は、ロッド９’を備えており、２つの弁部材１０’および１１’がロッド９’のそれぞれの端部に位置している。これらの弁部材１０’、１１’について、図示の球形以外の形状も考えることができる。
【００２３】
第１の弁部材１０’が、流体入口３’の傍らに位置する一方で、第２の弁部材１１’は、第２の流体出口５’の傍らに位置する。第１の流体出口４’が、２つの弁部材１０’および１１’の間に位置している。ロッド９’に向かって、第１の弁部材１０’は、第１の流体流路６’によって貫かれた第１の弁座１２’に面しており、この流路をロッド９’が通っている。ロッド９’に向かって、第２の弁部材１１’は、第２の流体流路７’によって貫かれた第２の弁座１３’に面しており、この流路をやはりロッド９’が通っている。第１の実施形態と同様に、ロッド９’の長さは、可動要素８を、第１の弁部材１０’が弁座１２’に受け止められることで第１の流路６’が閉じられて流体入口３’が切り離される第１の位置と、第２の弁部材１１’が第２の弁座１３’に受け止められることで第２の流路７’が閉じられて第２の流体出口５’が切り離される第２の位置との間を、移動させることができるような長さである。第１の位置においては、第２の弁部材１１’が弁座１３’からずらされることで、第２の流路７’が開かれ、したがって、第１の出口４’から第２の出口５’への排出が可能である一方で、第２の位置においては、第１の弁部材１０が’弁座１２’からずらされることで、第１の流路６’が開かれ、入口３’による第１の出口４’への供給が可能である。
【００２４】
第１の実施形態と同様に、三方弁１’は、三方弁を第１の位置へと付勢する戻しばね１５’と、弁部材１０’および１１’を支持してそれら弁部材の中心を可動要素８’の移動の軸Ｘ’に位置させるように機能するダイアフラムスプリング１６’とを有している。しかしながら、この弁１’のアクチュエータ１４’は、電磁アクチュエータに代わり、ベローズを制御流体の導入口１７’に組み合わせて構成される流体によって駆動されるアクチュエータである。装置３０においては、流体の流れによって制御される三方弁１’の流体流アクチュエータ１４’を制御するための導入口１７’が、電磁制御される三方弁１の第１の出口４へと接続されており、したがって、この弁が、流体の流れによって制御される三方弁１’のパイロット弁として機能する。したがって、電磁アクチュエータ１４が作動すると、第１の三方弁１の流体入口３から到来する加圧された流体が、第１の三方弁１の流体出口４へと案内され、したがって、第２の弁１’の流体駆動のアクチュエータ１４’を制御するための流体導入口１７’へと案内され、結果として、可動要素８’が第１の位置から第２の位置へと移動し、したがって、加圧された流体が弁１’の入口３’から弁１’の第１の出口４’へと通過することができる。次いで、電磁アクチュエータ１４の作動が停止されると、流体流アクチュエータ１４’の加圧された流体を、このアクチュエータ１４’の制御流体導入口１７’、第１の弁１の第１の出口４、および第１の弁１の第２の出口５を経由して排出することができる。したがって、第２の弁１’の戻しばね１５’が、可動要素８を第２の位置へと戻し、第２の弁１’の入口３’と第１の出口４’との間の流路６’を閉じるとともに、第２の弁１’の第１の出口４’と第２の出口５’との間の排出流路７’を開くことができる。このようにして、第１の弁１の電磁アクチュエータ１４が、第２の弁１’を間接的に制御する。第１の弁１のダイアフラムスプリング１６と同様に、第２の弁１’のダイアフラムスプリング１６’にも、可動要素８に第１の位置へと向かう復帰力を発揮させるために、あらかじめ応力を与えることができる。
【００２５】
流体流制御装置３０を、宇宙船またはロケットの姿勢および／またはロール制御システムに組み込むことができる。そのような状況においては、第２の弁１’が、推進用の流体の第１の出口４’の通過（推進用の流体が推進ノズルによって直接吐き出される気体である場合には、このノズルへと向かい、推進用の流体がノズルによる推進室からの吐出の前に推進室における発熱反応に関与する推進剤である場合には、この推進室へと向かう）を制御するように機能する。
【００２６】
ダイアフラムスプリングを設置するやり方が、第１の三方弁１の第１の弁部材１０の第１のダイアフラムスプリング１６の組み付けの例について、図４Ａ〜図４Ｃに示されている。図４Ａにおいて、可動要素８が、弁部材１０を対応する弁座１２に位置させるためにどのようにして第１の位置に置かれるのかを見て取ることができる。弁部材１０がこの位置において当然に中心に位置している状態で、ダイアフラムスプリング１６が、図４Ｂに示されるように弁部材１０へと適用される。したがって、ダイアフラムスプリング１６もやはり中心に位置し、次いで図４Ｃに示されるように、ダイアフラムスプリング１６を、ケーシング２へと固定される２つの部品４０および４１（第１の部品が弁座１２を備えている）の間に挟むことによって、このケーシング２に対して固定することができる。ダイアフラムスプリングの同じ組み付け方法を、他のダイアフラムスプリング１６，１６’の各々についても、それぞれの場合において対応する弁部材１０，１１，１０’，１１をそれぞれの弁座１２，１３，１２’，１３’に受け入れられた状態に位置させて、使用することができる。
【００２７】
本発明を、特定の実施形態を参照して上述したが、特許請求の範囲によって定められる本発明の全体的な範囲を超えることなく、これらの例に種々の修正および変更を適用できることは明らかである。例えば、本発明の第２の実施形態の流体の流れによって制御される三方弁は、たとえ本発明の第１の実施形態の電磁制御される三方弁との組み合わせでしか示されていなくても、そのような三方弁とは別個独立に使用することが可能である。また、状況に応じて、他の種類のアクチュエータも使用可能である。したがって、説明および図面は、本発明を限定するものとしてではなく、例示として理解されなければならない。
【図１Ａ】
2014506663.tif 000003
【図１Ｂ】
2014506663.tif 000004
【図２】
2014506663.tif 000005
【図３】
2014506663.tif 000006
【図４Ａ】
2014506663.tif 000007
【図４Ｂ】
2014506663.tif 000008
【図４Ｃ】
2014506663.tif 000009
【手続補正書】
【提出日】平成25年10月16日(2013.10.16)
【手続補正１】
【補正対象書類名】明細書
【補正対象項目名】０００３
【補正方法】変更
【補正の内容】
【０００３】
したがって、アリアン５型（Ａｒｉａｎｅ  ５）打ち上げロケットの各段の姿勢およびロール制御システムにおいて、流体入口ならびに第１および第２の流体出口を有するケーシングを、ケーシング内の可動要素とともに備えている三方弁が知られている。この三方弁においては、可動要素は、ロッドと、ロッドの第１の端部に取り付けられた第１の弁部材と、ロッドの第２の端部に取り付けられた第２の弁部材とを備えている。第１の弁部材は、流体入口と第１の流体出口との間の第１の流体流路を閉じるべく、ロッドに向かって第１の弁座に受け止められるために適しており、第２の弁部材は、第１および第２の流体出口との間の第２の流路を閉じるべく、ロッドに向かって第２の弁座に受け止められるために適している。ロッドの長さは、可動要素を、第１の流路が閉じられ且つ第２の流路が開かられる第１の位置と、第１の流路が開かれ且つ第２の流路が閉じられる第２の位置との間を移動させることを可能にする。したがって、第１の位置においては、入口が遮断され、２つの出口の間の圧力が等しくなる一方で、第２の位置においては、弁が入口から第１の出口への流体の流れを可能にしつつ、第２の出口を切り離す。
【手続補正２】
【補正対象書類名】明細書
【補正対象項目名】０００８
【補正方法】変更
【補正の内容】
【０００８】
好都合には、この三方弁は、可動要素の第１の端部を支持する第１のダイアフラムスプリングと、可動要素の第２の端部を支持する第２のダイアフラムスプリングとを備える。これにより、可動要素の全体としての心出しが保証されるだけでなく、２つの弁部材の各々も個別に心出しされ、したがって、可動要素が自身の移動の軸に整列した状態に保たれる。
【手続補正３】
【補正対象書類名】明細書
【補正対象項目名】００２４
【補正方法】変更
【補正の内容】
【００２４】
第１の実施形態と同様に、三方弁１’は、三方弁を第１の位置へと付勢する戻しばね１５’と、弁部材１０’および１１’を支持してそれら弁部材の中心を可動要素８’の移動の軸Ｘ’に位置させるように機能するダイアフラムスプリング１６’とを有している。しかしながら、この弁１’のアクチュエータ１４’は、電磁アクチュエータに代わり、ベローズを制御流体の導入口１７’に組み合わせて構成される流体によって駆動されるアクチュエータである。装置３０においては、流体の流れによって制御される三方弁１’の流体流アクチュエータ１４’を制御するための導入口１７’が、電磁制御される三方弁１の第１の出口４へと接続されており、したがってこの弁が、流体の流れによって制御される三方弁１’のパイロット弁として機能する。したがって、電磁アクチュエータ１４が作動すると、第１の三方弁１の流体入口３から到来する加圧された流体が、第１の三方弁１の流体出口４へと案内され、したがって、第２の弁１’の流体駆動のアクチュエータ１４’を制御するための流体導入口１７’へと案内され、結果として可動要素８’が第１の位置から第２の位置へと移動し、したがって、加圧された流体が弁１’の入口３’から弁１’の第１の出口４’へと通過することができる。次いで、電磁アクチュエータ１４の作動が停止されると、流体流アクチュエータ１４’の加圧された流体を、このアクチュエータ１４’の制御流体導入口１７’、第１の弁１の第１の出口４、および第１の弁１の第２の出口５を経由して排出することができる。したがって、第２の弁１’の戻しばね１５’が、可動要素８を第１の位置へと戻し、第２の弁１’の入口３’と第１の出口４’との間の流路６’を閉じるとともに、第２の弁１’の第１の出口４’と第２の出口５’との間の排出流路７’を開くことができる。このようにして、第１の弁１の電磁アクチュエータ１４が、第２の弁１’を間接的に制御する。第１の弁１のダイアフラムスプリング１６と同様に、第２の弁１’のダイアフラムスプリング１６’にも、可動要素８’に第１の位置へと向かう復帰力を発揮させるために、あらかじめ応力を与えることができる。
【国際調査報告】
2014506663.tif 000010
2014506663.tif 000011
2014506663.tif 000012
2014506663.tif 000013